Podtech/llm-jp-corpus-v4-ja_patent huggingface dataset:
(57)【要約】      （修正有）【課題】顔の輪郭に合わせて調整でき、眼部にフィットして眼部のつぼに対しマッサージを施すことができ、眼部工学に符合し、携帯に便利なアイマスクを提供する。【解決手段】アイマスクは、中空のマスク体中に撓性素子を置入し、撓性素子は所定の弾性を有し（金属、プラスチック、ゴム、或いは、その他の可撓性材料からなる）、撓性定型可能で、形状が眼部周囲に適合し、複数の突起部を有すると共に、所定位置に振動素子を貼付する。マスク体は各種顔の輪郭に適応して調整変形し、眼部周囲にフィットし、振動素子により、突起部が眼部のつぼに対し指圧按摩を施し、且つ、マスク体は折り曲げやすく、携帯に便利である。【選択図】図１
0003146056.tif 000002
【実用新案登録請求の範囲】
【請求項１】
顔の輪郭に合わせて調整できるアイマスクであって、
帯体であるマスク体と、
前記マスク体内に設置され、撓性湾曲する材料からなり、撓性湾曲定型し、複数の突起部を有する撓性素子と、からなり、
上述の素子により、前記撓性素子を利用して、前記マスク体が顔の輪郭に合わせて調整でき、眼部にフィットし、前記の複数の突起部が眼部のつぼに対し按摩を施し、且つ、前記マスク体は容易に折り曲げることができ、携帯に便利であることを特徴とするアイマスク。
【請求項２】
前記マスク体は開口を設置することを特徴とする請求項１に記載のアイマスク。
【請求項３】
前記マスク体開口に粘着部を有して、前記マスク体の封閉と開放が可能であることを特徴とする請求項２に記載のアイマスク。
【考案の詳細な説明】
【技術分野】
【０００１】
本考案はアイマスクに関するものであって、特に、顔の輪郭に合わせて調整でき、眼部にフィットして眼部のつぼに対しマッサージを施すことができ、眼部工学に符合し、携帯に便利なアイマスクに関するものである。
【背景技術】
【０００２】
工商業の発達に伴い、現代人は仕事が長時間で、適当な休息が得られず、眼部の退化が生じやすい。中華民国（台湾）のデータによると、視力不良者は約１０００万人で、小学生の視力不良は５０％、高校生の近視は８６％に達し、このデータは近年の子供の視力の下降を表し、視力不良は毎年約１０％で増加している。
【０００３】
都市化の結果、高層ビルが立ち並び、子供は狭い生活空間で生活し、近距離で目を使用し、テレビゲームなどの娯楽など、様々な要素が視力低下の原因となっている。
【０００４】
また、絶対数の児童は、近視初期に早期治療をしないので、気づいた時、ひどい近視で、回復しにくくなり、平時、保養に努めないと矯正不能になる。
【０００５】
よって、いかにして、適当に眼部を保養し、疲労を回復させるかが重視され、近年、多くの眼部保養商品が開発されているが、大型の治療器材であったり、或いは、単一功能という欠点があり、使用者は操作が不便で、理想的な効果が達成されていない。
【考案の開示】
【考案が解決しようとする課題】
【０００６】
本考案の目的は、可撓性で、調整できる按摩アイマスクを提供し、上述の問題を改善することにある。
【課題を解決するための手段】
【０００７】
本考案のアイマスクは、帯体であるマスク体、マスク体中に設置され、所定の弾性（金属、プラスチック、ゴム、或いは、その他の可撓性湾曲する材料からなる）を有し、撓性湾曲定型可能で、形状が眼部周囲に適合し、複数の突起部を有する撓性素子と、撓性素子により、マスク体が顔の輪郭に適応して調整変形し、眼部周囲にフィットさせ、突起部が眼部のつぼに対し指圧按摩を施し、且つ、マスク体は折り曲げやすく、携帯に便利である。
【考案の効果】
【０００８】
本考案のアイマスクは、顔の輪郭に合わせて調整でき、眼部にフィットして眼部のつぼに対しマッサージを施すことができ、眼部工学に符合し、携帯に便利である。
【考案を実施するための最良の形態】
【０００９】
図１、図２、図３で示されるように、本発明は、マスク体１０、マスク体１０に設置される撓性素子２０、撓性素子２０に貼付する振動素子３０、マスク体１０に設置される二電源素子４０、撓性素子２０は、所定の弾性を有し、撓性湾曲定型し、その形状は眼部周囲に適合し、複数の突起部２２を設置する。マスク体１０は各種顔の輪郭に合わせて調整変形でき、人の眼部にフィットする。複数の突起部２２により、眼部のつぼに対し按摩を実行し、且つ、マスク体１０は折り曲げることができ、携帯に便利である。
【００１０】
マスク体１０は、布質からなり、開口１１を設置して、相関素子を置入し、開口１１は粘着部１２を有して、マスク体１０の封閉と開放が可能である。マスク体１０二側は帯体１３を設置し、弾性材質により弾性伸縮して、快適に耳部に掛けることができる。
【００１１】
撓性素子２０はマスク体１０中に設置され、所定の弾性を有し、金属、プラスチック、ゴム、或いは、その他の可撓性湾曲する材料からなる。本発明の好ましい実施例は、錫材料からなり、撓性湾曲後、定型し、且つ、ノッチ２１を有して、眼部の形状に適合し、所定位置に、眼部のつぼに対応する複数の突起部２２を有する。
【００１２】
振動素子３０は、振動を生成し（偏心軸を有するモーターを採用する）、撓性素子２０に貼付し、マスク体１０は所定位置に容置部１４を有して、振動素子３０を容置する。
【００１３】
電源素子４０は、座体４１により、マスク体１０に設置され、座体４１中に電池４２を設置し、振動素子３０に電力を供給する。座体４１上に制御素子５０を設置して、電源と振動素子の作動を制御することができる。
【００１４】
図４、図５で示されるように、本発明の使用時、マスク体１０は眼部に装着し、特に、マスク体１０は撓性素子２０の可撓性湾曲特性により、様々な顔の輪郭に対し適当に調整変形し、眼部工学に符合して、眼部にフィットすると共に、振動素子３０の振動が撓性素子２０の突起部２２に伝達されて、眼部のつぼに対し指圧按摩を施す。
【００１５】
図６で示されるように、本考案のマスク体１０は、撓性素子２０の可撓性湾曲特性により、折り畳んで、半分に折って収合でき、携帯に便利である。
【図面の簡単な説明】
【００１６】
【図１】本考案の立体図である。
【図２】本考案の前から見た立体分解図である。
【図３】本考案の後ろから見た立体分解図である。
【図４】本考案の使用実施例図１である。
【図５】本考案の使用実施例図２である。
【図６】本発明のマスク折り畳み状態図である。
【符号の説明】
【００１７】
１０  マスク体
１１  開口
１２  粘着部
１３  帯体
１４  容置部
２０  撓性素子
２１  ノッチ
２２  突起部
３０  振動素子
４０  電池
４１  座体
４２  電池
５０  制御素子
【図１】
0003146056.tif 000003
【図２】
0003146056.tif 000004
【図３】
0003146056.tif 000005
【図４】
0003146056.tif 000006
【図５】
0003146056.tif 000007
【図６】
0003146056.tif 000008
(57)【要約】      （修正有）【課題】木炭を使用せず炭火焼と同等またはそれ以上の自然かつ美味な焼き上げを可能とする肉の網焼き器具を提供する。【解決手段】肉の網焼き器具において、焼き網４と加熱源３の間にプレート１を設置する。プレート材料はセラミック又は耐熱ガラスからなり、プレートの上部に円形の凹部２を複数作製する。これにより焼き網の上で加熱された肉から落下する油がプレートの凹部に溜まり、同時に燃え上がり肉に付着することで美味な焼き物の提供が可能となる。加熱源は、ガス又は電気ヒーターを使用する。電気ヒーターはプレートの中に設置することも可能である。【選択図】図１
0003146060.tif 000002
【実用新案登録請求の範囲】
【請求項１】
加熱源を有し焼き網上で肉を焼く器具の、焼き網と加熱源の間に設置するプレートであって、プレート材料がセラミック又は耐熱ガラスからなり、プレートの上部に円形の凹部を複数有することを特徴とするプレート
【請求項２】
加熱源を有し焼き網上で肉を焼く器具の、焼き網の下部に設置するプレートであって、プレート材料がセラミック又は耐熱ガラスからなり、プレートの上部に円形の凹部を複数有しかつプレート内部に加熱源が組み込まれていることを特徴とするプレート
【考案の詳細な説明】
【技術分野】
【０００１】
本考案は、料理屋、一般家庭、戸外で、肉類の網焼き器具に使用し、肉を炭火焼のように美味な焼き上げが可能となるプレートに関するものである。
【背景技術】
【０００２】
従来、炭火による焼き物料理は自然かつ美味な焼き上げが可能であるが、焼くまでに時間が掛かること、調理人により上手下手が出やすい問題がある。また、焼き物から落ちる油分が炭火の上に落下し、燃え上がり大量の煙を発生させてしまう問題があった。これに対し、焼き物の素材から落ちる油が炭火の上に落下することを防止して油の燃焼による煙の発生を抑えながら炭焼き調理を行なえるようにしたものも文献１や文献２のように提案されている。
ただ、焼き物の素材から落下する油分は炭火に落下した後燃え上がり素材の表面に再度付着することで焼き物を焼きあがりをよくする効果がある。従って、素材から落下する油は再度焼き物の素材表面に付着させることが味を良くするにはむしろ望ましいのである。
一方、肉類の焼き器にセラミックスを利用した例は多く見られる。ただ、その目的は単に輻射熱や遠赤外線を効果的に利用することにあり、本考案のような凹型窪みを形成して肉の網焼きに利用した例はない。
【特許文献１】実用新案３０７６３３３号
【特許文献２】特開２００７−１８５３２３号
【考案の開示】
【考案が解決しようとする課題】
【０００３】
本考案の課題は、木炭、とくに炭火焼に使用される備長炭などの高価な燃料を使用することなく、炭火焼と同等またはそれ以上の自然かつ美味な焼き上げを可能とする肉の網焼き器具を提供することにある。
【課題を解決するための手段】
【０００４】
上記課題を解決するため、木炭を使用せず、炭火焼と同等な調理効果を有する焼き物器具を提供する。本考案の焼き物器具は、加熱源を有し網上で肉を焼く器具の、焼き網と加熱源の間にプレートが置かれる。プレート材料はセラミック又は耐熱ガラスからなり、プレートの上部に円形の凹部を複数有することを特徴としている。
加熱源は、ガス又は電気ヒーターを使用する。電気ヒーターはプレートの中に設置することも可能である。
加熱源によりプレートは加熱され、その輻射熱で網上の肉を焼く。輻射熱で調理されるので内部までむら無く焼き上げることが可能となる。以上は従来提案されたものであるが、特徴的なのはプレートの上部に円形の凹部を複数有することである。肉は網の上で焼かれ、油分がプレート上にしたたり落ち、円形の凹部に溜まる。ほとんど同時にプレートの熱で燃え上がり蒸気となり焼き物の表面に付着し、炭火焼と同じような香ばしい味の焼き鳥ができる。プレートに凹部が無い場合は食材から落下した油は有効に利用されない。
なお、プレートは平板か、上に凸型の形状が望ましい。
【考案の効果】
【０００５】
高価な木炭を使用せず、炭火焼と同度かそれ以上の美味な焼き上げが可能となる。
木炭に落下する油で煙を発生することも無く、逆に落下した油で美味な焼き上げを可能とした。木炭を着火する時間や手間も節約でき、さらに使用後の付着した油の掃除もプレートの材料がセラミックスや耐熱ガラスであることから極めて楽である。
【考案を実施するための最良の形態】
【０００６】
本考案のプレートを使用した網焼き器具を図１に示す。加熱源をガスとした場合について説明する。
ガスに着火する。セラミックス製のプレート１が加熱され、その輻射熱で焼き網４も加熱される。鶏肉５を焼き網に乗せて焼く。鶏肉は充分加熱されると油分が出てしたたり落ち、下のプレートに落下する。落下した油はプレート上の凹部２に溜まり、燃え上がり蒸気が鶏肉に付着し、美味な鶏肉の焼き上げが可能となる。
【図面の簡単な説明】
【０００７】
【図１】本考案のプレートを使用した焼き網器具
【図２】本考案のプレートを上から見た図
【図３】プレート図２におけるＡ−Ａ断面図
【符号の説明】
【０００８】
１  プレート
２  円形凹部
３  ガス
４  焼き網
５  鶏肉
【図１】
0003146060.tif 000003
【図２】
0003146060.tif 000004
【図３】
0003146060.tif 000005
(57)【要約】      （修正有）【課題】大判の資料を見やすい状態でファイリング出来る手軽なクリアファイルを提供する。【解決手段】表紙及び裏表紙を有し、複数のシートを冊子状に綴ってなるクリアファイルにおいて、各シートに、それぞれ外側側縁と下縁のみが封着されている収納ポケットを、中央綴じ線を中心として見開き状態において、左右対称に形成すると共に、表紙及び裏表紙のどちらか一方には閉じ紐の一端を、他方には前記閉じ紐の開放端側を巻き付ける係止片をそれぞれ付設した。【選択図】図４
0003146016.tif 000002
【実用新案登録請求の範囲】
【請求項１】
表紙及び裏表紙を有し、複数のシートを冊子状に綴ってなるクリアファイルであって、各シートには、それぞれ外側側縁と下縁のみが封着されている収納ポケットが、中央綴じ線を中心として見開き状態において、左右対称に形成されていると共に、表紙及び裏表紙のどちらか一方には閉じ紐の一端が、他方には前記閉じ紐の開放端側を巻き付ける係止片がそれぞれ付設されていることを特徴とするクリアファイル。
【考案の詳細な説明】
【技術分野】
【０００１】
この考案はクリアファイル、詳しくは、企業活動や日常生活において必要とする各種資料を効率的にファイリングすることが出来る便利なクリアファイルに関するものである。
【背景技術】
【０００２】
企業活動において、如何に業務を円滑かつ効率よく捌いて行けるかを追求すると、究極的には、現場に即した適切な業務分類が構築されているか、それに基づいてファイリングがきちんとなされているか、に尽きる。つまり、日常の多岐に亘る各種資料が、収まるべきところにキチンと収まっていて、しかも、その状態が維持されていることが肝要なのである。
【特許文献１】登録実用新案第３１２０１３３号公報
【特許文献２】登録実用新案第３１２７２６４号公報
【特許文献３】登録実用新案第３１３３７７１号公報
【特許文献４】登録実用新案第３１３３８５８号公報
【特許文献５】登録実用新案第３１３３９０３号公報
【特許文献６】登録実用新案第３１３４３５６号公報
【非特許文献１】なし
【考案の開示】
【考案が解決しようとする課題】
【０００３】
昨今の企業活動の中では、新テーマの開発企画などにおいて、ニーズの新規性、多様化に伴い、情報の収集、整理、企画、プレゼンテーションは欠かせない。
特に、企画の成否が問われるプレゼンテーションの場においては、資料準備は極めて重要なステップであり、多くの場合それらの資料は多少の分類はなされているとしても、タイムリーに必要な資料出せる様にまでは、整理されていなかった。
【０００４】
プレゼンテーションなどでは、適切な補助資料は欠かせないが、それらは多岐に亘っていることが多く、企画の筋書きに沿って適切に区分され、各ファイルポケット毎に収まっており、見開きにしてすぐ見える状態になっていることが是非とも必要である。
【０００５】
しかしながら、この様なファイリング作業に適したクリアファイルはなかなか見当たらず、特に大判の資料のファイリングには苦労があり、又、大きさの異なる資料の場合、それぞれ別々の寸法のクリアファイルに入れるか、あるいは一つのクリアファイルに折り畳んで収納するかして対応するしかなく、常に煩雑さがつきまとっていたと言わざるを得ない。
【０００６】
本考案者は各資料のファイリングに関する上記の問題点を解決すべく研究を行った結果、整然と資料の整理を行うことが出来る、使い勝手の良い便利なクリアファイルを完成するに至り、本考案としてここに提案するものである。
【課題を解決するための手段】
【０００７】
表紙及び裏表紙を有し、複数のシートを冊子状に綴ってなるクリアファイルにおいてで、各シートに、それぞれ外側側縁と下縁のみが封着されている収納ポケットを、中央綴じ線を中心として見開き状態において、左右対称に形成すると共に、表紙及び裏表紙のどちらか一方には閉じ紐の一端を、他方には前記閉じ紐の開放端側を巻き付ける係止片をそれぞれ付設することにより、上記課題を解決した。
【実施例】
【０００８】
図１はこの考案に係るクリアファイルの一実施例を閉じた状態の斜視図、図２はその表紙及び裏表紙を開いた状態の斜視図、図３は同じく、開いた状態における内側部分の平面図である。
【０００９】
図中１は表紙、２は裏表紙であり、この表紙１と裏表紙２との間には複数のシート３…が冊子状に綴られている。そしてこのシート３には、図３に示す様に、見開き状態において、それぞれ外側側縁４と下縁５のみが付着されている透明な熱溶着性合成樹脂製の収納ポケット１０が、中央綴じ線６を中心として左右対称に形成されている。
【００１０】
この収納ポケット１０の他の２辺、即ち、内側側縁１１及び上縁１２は開放状態となっており、内側側縁１１は中央綴じ線６より若干外側寄りに位置せしめられている。
【００１１】
更に、表紙１及び裏表紙２の外側側縁近傍には、それぞれ円板状をなした閉じ紐巻き付け用の係止片８が、その中央に形成された軸体７によって固定されており、一方の係止片８の軸体７には閉じ紐９の一端が取り付けられている。
【００１２】
この考案に係るクリアファイルは上記の通りの構成を有するものであり、それぞれ開放されている内側側縁１１及び上縁１２から所望の資料をポケット１０内に挿入し、ファイル用に供するものであるが、片方のポケット１０に入り切れない大判の資料１３の場合は、図４に示す様に見開き状態において、対向した一対のポケット１０，１０を利用し、左右部分をそれぞれ左側のポケット１０及び右側のポケット１０に挿入すれば収納可能であり、各シート３のほぼ倍の横幅を有する大判の資料１３を折り畳むことなく開いたままファイルすることが出来、プレゼンテーションの際などに必要とする資料を即座に取り出すことが可能となり、非常に便利である。
【００１３】
又、表紙１及び裏表紙２には、閉じ紐巻き付け用の係止片８が設けられており、この閉じ紐９で表紙１と裏表紙２とを結べば、保管中や搬送中にポケット１０に挿入された資料が抜け落ちて散逸してしまう事態を効率的に阻止出来、非常に実用的である。
【図面の簡単な説明】
【００１４】
【図１】この考案に係るクリアファイルの閉じた状態の斜視図。
【図２】同じく、その表紙及び裏表紙を開いた状態の斜視図。
【図３】同じく、開いた状態における内側部分の平面図。
【図４】同じく、大判の資料をポケットに挿入した状態の平面図。
【符号の説明】
【００１５】
１    表紙
２    裏表紙
３    シート
４    外側側縁
５    下縁
６    中央綴じ線
７    軸体
８    係止片
９    閉じ紐
１０    ポケット
１１    内側側縁
１２    上縁
１３    大判の資料
【図１】
0003146016.tif 000003
【図２】
0003146016.tif 000004
【図３】
0003146016.tif 000005
【図４】
0003146016.tif 000006
(57)【要約】      （修正有）【課題】メガネの重さをやわらげるマットの付いたメガネを提供する。【解決手段】メガネをかけたとき、メガネの鼻に当たる部分にマットを付けることにより、メガネの重さをやわらげることができる。このマットの素材はシリコンや弾力性のある素材にする。マットの付いたメガネを使用することにより、顔につくメガネのあとを気にすることなく、メガネをかけることが出来る。【選択図】図１
0003146082.tif 000002
【実用新案登録請求の範囲】
【請求項１】
メガネと顔に接触する部分に装着してメガネの重さをやわらげるマット
【考案の詳細な説明】
【技術分野】
【０００１】  本考案は、メガネをかける時に使うメガネの重さをやわらげるマットに関する。
【背景技術】
【０００２】  従来のメガネは直接顔にかけていた。
【考案の開示】
【考案が解決しようとする課題】
【０００３】  しかし、これでは、メガネをはずした時、メガネのあとがつき、メガネのあとが消えるまで、時間がかかった。
【課題を解決するための手段】
【０００４】  そこで、メガネの重さをやわらげるマット図２を考案した。
このメガネの重さをやわらげるマットにより、メガネのあとが薄くなるのである。
【考案の効果】
【０００５】  よって、本考案のメガネの重さをやわらげるマットにより、顔につくメガネのあとを気にすることなくメガネをかけることが出来る。
【考案を実施するための最良の形態】
【０００６】  本考案に係わるメガネの重さをやわらげるマットは、図１の１に示すように顔にあたる部分にマットをあててメガネをかける。
素材はシリコンや弾力性のある素材にする。
【図面の簡単な説明】
【０００７】
【図１】  本考案に係わるメガネの重さをやわらげるマットをメガネの顔にあたる部分にあてた図である。
【図２】  メガネの重さをやわらげるマットの図である。
【符号の説明】
【０００８】  １      メガネの重さをやわらげるマット
【図１】
0003146082.tif 000003
【図２】
0003146082.tif 000004
【手続補正書】
【提出日】平成20年2月12日(2008.2.12)
【手続補正１】
【補正対象書類名】実用新案登録請求の範囲
【補正対象項目名】全文
【補正方法】変更
【補正の内容】
【実用新案登録請求の範囲】
【請求項１】
：メガネが鼻にあたる部分にあてるマット
：素材はシリコンまたは弾力性のある素材にする
：メガネの鼻にあたる部分にメガネの重さをやわらげるマットを装着する
【手続補正書】
【提出日】平成20年5月7日(2008.5.7)
【手続補正１】
【補正対象書類名】実用新案登録請求の範囲
【補正対象項目名】全文
【補正方法】変更
【補正の内容】
【実用新案登録請求の範囲】
【請求項１】
：メガネの鼻にあたる部分にメガネの重さを和らげる事を特徴とするマット
【手続補正書】
【提出日】平成20年7月25日(2008.7.25)
【手続補正１】
【補正対象書類名】実用新案登録請求の範囲
【補正対象項目名】全文
【補正方法】変更
【補正の内容】
【実用新案登録請求の範囲】
【請求項１】
メガネの鼻にあたる部分にマットをあてることでメガネの重さを和らげる事を特徴とするメガネ
(57)【要約】      （修正有）【課題】通常の運転時の数多い交差点での右折、左折時、又身体を捻っての後進での車庫入れ駐車場入れの時等に、片手でハンドルをクルクル回せるハンドルを提供する。【解決手段】車のハンドルの最上部にハンドルと一体の凸部を作り、利き腕の片手で凸部を押え圧着しながらハンドルを回す事で片手操作を可能にした。車の方向転回の時のハンドルを半回転以上回す必要がある時は、事前から凸部を利用すれば良い。又通常運転時でも利き腕を凸部に、他の手はパーキングブレーキ等を握って上半身の安定運転をする事も出来る。又凸部は従来式の両手ハンドル操作、だけで、運転する時には滑り止めに利用する。【選択図】図１
0003146090.tif 000002
【実用新案登録請求の範囲】
【請求項１】
車のハンドルを片手でも操作出来るようにするため、ハンドルの最上部にハンドルと一体の凸部を作りその凸部を手の平でＡ方向に押え、手の圧着力を利用して操作すればハンドルが片手でも回せる事を可能にした。そのハンドルの最上部にハンドル操作をするために作った、ハンドルと一体の凸部。
【考案の詳細な説明】
【技術分野】
【０００１】本考案は車のハンドルに関する。
【背景技術】
【０００２】従来の車のハンドルは、両手を使い、握り換え握り換えしながら操作をしている。
一部のハンドルには、回転するツマミ等を付け片手でも操作出来る特種なハンドルもあるが。
【考案の開示】
【考案が解決しようとする課題】
【０００３】本考案は車のハンドル操作を片手でも操作出来れば、通常の運転時の数多い交差点での右折、左折時、又身体を捻っての後進での車庫入れ駐車場入れの時等に、片手でハンドルをクルクル回せれば便利だと考えた。
【課題を解決するための手段】
【０００４】車のハンドルを片手で操作するために、ハンドルの最上部にハンドルと一体の凸部を作り手の平でその凸部をＡ方向に上から押えるその圧着力を利用すれば、片手でハンドルを操作する事が可能である事を実践した。
【考案の効果】
【０００５】ハンドル操作の通常時は、両手で基準の握る位置でハンドルを持ち運転をする。
そして交差点などでの右折左折時で半回転以上で握る手の持ち換えが必要となってハンドルを回す時に、片手でクルクルとハンドルをきり、又きり戻しもクルクルと戻せるのは便利であり又両手より早く回す事が出来る。
【考案を実施するための最良の形態】
【０００６】本考案に係る車のハンドルと一体のハンドルの最上部に作った凸部を利用しての片手操作用装置は、車の方向転回の時のハンドルを半回転以上回す必要がある時は、事前から凸部を利用すれば良い。
又通常運転時でも利き腕を凸部に、他の手はパーキングブレーキ等を握って上半身の安定運転をする事も出来る。又凸部は従来式の両手ハンドル操作、だけで、運転する時には滑り止めに利用する。
【図面の簡単な説明】
【０００７】
【図１】本考案に係るハンドルと一体に作ったハンドルでの凸部の位置。
【図２】ハンドルに付けた凸部上からの図（Ａ）で図２、３、４は現寸図であるが形は一例である。
【図３】ハンドルの最上部に作った凸部の断面図でハンドルと一体に作る。
【図４】ハンドル内側からの凸部の図である（Ｂ）。
【符号の説明】
【０００８】１、ハンドル
２、ハンドルと一体に作った凸部。
【図１】
0003146090.tif 000003
【図２】
0003146090.tif 000004
【図３】
0003146090.tif 000005
【図４】
0003146090.tif 000006
【手続補正書】
【提出日】平成20年8月4日(2008.8.4)
【手続補正１】
【補正対象書類名】実用新案登録請求の範囲
【補正対象項目名】全文
【補正方法】変更
【補正の内容】
【実用新案登録請求の範囲】
【請求項１】
車のハンドルを片手でも操作出来るようにするため、ハンドルの最上部にハンドルと一体に作った操作用凸部。
(57)【要約】      （修正有）【課題】喫煙者の肺ガンになる可能性の率が高い元となる肺に残ったニコチン、タール等を除去する事で肺ガンの予防をする吸引器を提供する。【解決手段】喫煙者の方に医薬剤入り携帯型肺ガン予防吸引器でいつでも，どこでも直接吸引する事で常に肺の中のニコチン、タール等を除去する事で肺ガンの予防に役立つ。プラスチックス等の適宜素材にて携帯型ボトルケースに一本化形成された吸引器は、ニコチンタール等を除去する医薬剤と肺の中、呼吸気管の機能を活発にする菊の花、花梨のエキス、ハチミツ、他等をイオン水に混合した液体からなる。【選択図】図２
0003146089.tif 000002
【実用新案登録請求の範囲】
携帯型ボトルケースに肺の中の肺ガンになる可能性の率が高い元となるニコチン、タール等を除去する医薬剤と肺、呼吸気管の機能を活発にする花、ハチミツ、他等のエキスをイオン水に混合する。又エキス他等を混合する事によって副作用を無くす事が特徴である。
【考案の詳細な説明】
【技術分野】
【０００１】  本考案は、喫煙者の肺の中に残るニコチン、タール等を除去するために医薬剤を作成すること。
【背景技術】
【０００２】  従来、喫煙者が禁煙者の方よりも肺ガンな可能性の率が高くなる原因の一つとしてたばこに含まれるニコチンタール等を肺の中から除去する事が出来なかった。
【考案の開示】
【考案が解決しようとする課題】
【０００３】  喫煙者の肺ガンになる可能性の率が高い元となるニコチン、タール等を肺の中から除去する事で肺ガンになる率を減らす、又は失くす事で解決しようとするものである。
【課題を解決するための手段】
【０００４】  本考案、喫煙者が喫煙により肺ガンになる可能性が高かった元となるたばこに含まれるニコチン、タール等を除去する医薬剤と肺、呼吸気管の機能を活発にする菊の花、花梨、ハチミツ、他等をイオン水に混合して携帯で、いつでも、どこでも、直接吸引する事で肺を常に清浄して呼吸気管を活発にする事で問題点を解決している。
【考案の効果】
【０００５】  上述の様に、本考案の携帯型肺ガン予防吸引器は従来、たばこを吸う時に付けるパイプフィルター等でヤニ等を若干取り除く事は出来たが肺の中に残ったニコチン、タール等を完全に取り除く事が出来なかったが、この吸引器により完全に近く除去する事が出来るようになり喫煙者の肺ガンになる率を減少させる肺ガン予防吸引器である。
【考案の実施するための最良の形態】
【０００６】  この肺ガン予防吸引器は喫煙者の肺ガンになる可能性の率が高くなる元のニコチン、タール等を除去する医薬剤はガンの専門医、他等の方々に作成を依頼する又肺の中、呼吸気管の機能を活発にする菊の花、花梨のエキス、ハチミツ、他等は医薬品会社、他等の関連会社に依頼して医薬剤とイオン水に混合して作り上げる。
【実施例】
【０００７】  以下、添付図面に従って一実施例を説明する。Ｉプラスチックス等の適宜素材にて携帯型ボトルケースに一本化形成された吸引器本体、２はニコチンタール等を除去する医薬剤と肺の中、呼吸気管の機能を活発にする事の菊の花、花梨のエキス、ハチミツ、他等をイオン水に混合した吸引器本体の断面図です。【０００８】  ３はニコチン、タール等を除去する医薬剤、４、５は肺、呼吸気管の機能を活発にする菊の花、花梨のエキス、６はハチミツ、７他等は体に滋養を与えるエキス、８は吸引するためのプッシュ式吹出装置，９はキャップ，１０はキャップ係止ピン，１１はキャップ開閉ノズルです。
【図面の簡単な説明】
【０００９】
【図１】本考案の携帯型肺ガン予防吸引器の一実施例を示す正面図である。
【図２】本考案の携帯型肺ガン予防吸引器の全部の断面図である。
【符合の説明】
【００１０】  １  吸引器本体
２  混合イオン水
３  医薬剤
４  菊の花のエキス
５  花梨のエキス
６  ハチミツ
７  他等のエキス
８  プッシュ式吹出装置
９  キャップ
１０  キャップ係止ピン
１１  キャップ開閉ノズル
【図１】
0003146089.tif 000003
【図２】
0003146089.tif 000004
【手続補正書】
【提出日】平成20年7月31日(2008.7.31)
【手続補正１】
【補正対象書類名】実用新案登録請求の範囲
【補正対象項目名】全文
【補正方法】変更
【補正の内容】
【実用新案登録請求の範囲】
【請求項１】
携帯型ボトルに肺の中のガンになる可能性が高い元となるニコチン，タール，他等を除去する医薬剤と肺，呼吸気管の機能を活発にする花，植物，他等のエキスをイオン水に混合した肺ガン予防吸引器。
(57)【要約】      （修正有）【課題】同じ明るさを確保した場合でも、従来より電力消費量の大幅な削減ができる省エネ照明器具を提供する。【解決手段】天井面に平行に設置した丸形又は角形照明器具に電球形蛍光灯を、天井面に対して平行又は垂直に複数個取り付けたことを特徴とする省エネ照明器具である。これにより大幅な電力消費量が削減でき、地球に優しい証明器具が出来る。【選択図】図１
0003146086.tif 000002
【実用新案登録請求の範囲】
【請求項１】
電球形蛍光灯を複数組合せた省エネ照明器具
【請求項２】
電球形蛍光灯を縦、横、並列又は円形に複数組合せた省エネ照明器具
【考案の詳細な説明】
【技術分野】
【０００１】この考案は、電球形蛍光灯を複数組合せた省エネ証明器具に関する。
【背景技術】
【０００２】従来の蛍光灯器具は、丸形や直管形を複数組合せた物であり、電力消費量が大きく、電球形蛍光灯を複数組合せた省エネ照明器具がなかった。
【考案の開示】
【考案が解決しようとする課題】
【０００３】電球形蛍光灯を複数組合わせた照明器具がなかったので、電球形蛍光灯を複数組合せ省エネ照明器具を造ることを課題とする。
【課題を解決するための手段】
【０００４】以上の課題を解決するために、第一の考案は、電球形蛍光灯を複数組合せることを特徴とする省エネ照明器具である。第二の考案は、電球形蛍光灯を縦、横、並列又は円形に複数組合せることを特徴とする省エネ照明器具である。
【考案の効果】
【０００５】従来の蛍光灯器具は、丸形や直管形を複数組合せた物であり、電力消費量が大きかった。電球形蛍光灯を縦、横、並列又は円形に複数組合せた省エネ照明器具を作ることにより大幅な電力消費量が削減できる。
【図面の簡単な説明】
【０００６】
【図１】電球形蛍光灯を並列に複数（２個、３個）組合せた照明器具の面図である。
【図２】電球形蛍光灯を円形に複数（２個、３個）組合せた照明器具の面図である。
【符号の説明】
【０００７】  １  電球形蛍光灯        ２  照明等器具
【図１】
0003146086.tif 000003
【図２】
0003146086.tif 000004
【手続補正書】
【提出日】平成20年8月5日(2008.8.5)
【手続補正１】
【補正対象書類名】実用新案登録請求の範囲
【補正対象項目名】全文
【補正方法】変更
【補正の内容】
【実用新案登録請求の範囲】
【請求項１】
天井面に平行に設置した丸形照明器具に電球形蛍光灯を天井面に平行に複数個、垂直に複数個取り付けた省エネ照明器具
【請求項２】
天井面に平行に設置した角形照明器具に電球形蛍光灯を天井面に平行に複数個、垂直に複数個取り付けた省エネ照明器具
【手続補正２】
【補正対象書類名】明細書
【補正対象項目名】全文
【補正方法】変更
【補正の内容】
【考案の詳細な説明】
【技術分野】
【０００１】  この考案は、電球形蛍光灯を複数組合せた省エネ証明器具に関する。
【背景技術】
【０００２】  従来の蛍光灯器具は、丸形や直管形蛍光灯を複数組合せた物であり、電力消費量が大きく、電球形蛍光灯を複数組合せた省エネ照明器具がなかった。
【考案の開示】
【考案が解決しようとする課題】
【０００３】  電球形蛍光灯を複数組合わせた照明器具がなかったので、電球形蛍光灯を複数組合せた省エネ照明器具を造ることを課題とする。
【課題を解決するための手段】
【０００４】  以上の課題を解決するために、第一の考案は、天井面に平行に設置した丸形照明器具に電球形蛍光灯を天井面に平行に複数個、垂直に複数個取り付けた省エネ照明器具である。第二の考案は、天井面に平行に設置した角形照明器具に電球形蛍光灯を天井面に平行に複数個、垂直に複数個取り付けた省エネ照明器具である。
【考案の効果】
【０００５】  従来の蛍光灯器具は、丸形や直管形蛍光管を複数組合わせた物であり、電力消費量が大きかった。電球形蛍光灯を天井面に平行に設置した省エネ照明器具に電球形蛍光灯を平行、垂直に複数個取り付けた省エネ照明器具を造ることにより、大幅な電力消費量の削減ができる。
【考案を実施するための最良の形態】
【０００６】  この考案の実施形態を説明する。図１は、丸形蛍光器具を天井面に平行に設置し、電球形蛍光灯を平行に３個取り付けるものである。
図２は、丸形蛍光器具を天井面に平行に設置し、電球形蛍光灯を１２０度間隔平行に３個取り付けるものである。
図３は、丸形蛍光器具を天井面に平行に設置し、電球形蛍光灯を垂直に３個取り付けるものである。
図４は、丸形蛍光器具を天井面に平行に設置し、電球形蛍光灯を１２０度間隔垂直に３個取り付けるものである。
図５は、角形蛍光器具を天井面に平行に設置し、電球形蛍光灯を平行に２個取り付けるものである。
図６は、角形蛍光器具を天井面に平行に設置し、電球形蛍光灯を平行に２個取り付けるものである。
図７は、角形蛍光器具を天井面に平行に設置し、電球形蛍光灯を垂直に２個取り付けるものである。
図８は、角形蛍光器具を天井面に平行に設置し、電球形蛍光灯を垂直に２個取り付けるものである。
【実施形態の効果】
【０００７】  この実施形態の効果によれば、電球形蛍光灯を複数取り付けることにより、同じ明るさを確保する目的であれば、従来よりも電力消費量の大幅な削減ができる。
【図面の簡単な説明】
【０００８】
【図１】電球形蛍光灯を丸形照明器具に平行に３個組合わせた照明器具で（ａ）側面図である。
【図２】電球形蛍光灯を丸形照明器具に平行に３個組合わせた照明器具で（ｂ）低面図である。
【図３】電球形蛍光灯を丸形照明器具に垂直に３個組合わせた照明器具で（ａ）側面図である。
【図４】電球形蛍光灯を丸形照明器具に垂直に３個組合わせた照明器具で（ｂ）低面図である。
【図５】電球形蛍光灯を角形照明器具に平行に２個組合わせた照明器具で（ａ）側面図である。
【図６】電球形蛍光灯を角形照明器具に平行に２個組合わせた照明器具で（ｂ）低面図である。
【図７】電球形蛍光灯を角形照明器具に垂直に２個組合わせた照明器具で（ａ）側面図である。
【図８】電球形蛍光灯を角形照明器具に垂直に２個組合わせた照明器具で（ｂ）低面図である。
【符号の説明】
【０００９】１．電球形蛍光灯      ２．丸形照明器具      ３．角形照明器具
【手続補正３】
【補正対象書類名】図面
【補正対象項目名】全図
【補正方法】変更
【補正の内容】
【図１】
0003146086.tif 000005
【図２】
0003146086.tif 000006
【図３】
0003146086.tif 000007
【図４】
0003146086.tif 000008
【図５】
0003146086.tif 000009
【図６】
0003146086.tif 000010
【図７】
0003146086.tif 000011
【図８】
0003146086.tif 000012
(57)【要約】【課題】複数の照射角度を備えた照明装置を提供する。【解決手段】内側に接線角度の異なる複数の基部１１を有する本体１０、各基部１１に装着される発光部品２０、集光カップ２２、反射板３０、反射面３１、透し孔３２、および防塵カバー４０を含む。複数の集光カップ２２は各発光部品２０上に装着される。複数の透し孔３２は基部１１内面に外形が合致して固定されている反射板３０に設けられ、発光部品２０の照射する光線が透過可能である。透明な防塵カバー４０は本体に接合され各発光部品２０を保護する。各発光部品の照射する光線は、異なる接線角度の複数個の基部１１により垂直に照射され、且つ照射される光線は複数の角度の光線となる。このような装置によると、光線照射方向の角度および範囲を制御することができる。【選択図】図２
0003146045.tif 000002
【実用新案登録請求の範囲】
【請求項１】
本体と、
前記本体の内側に設けられ、異なる接線角度を有する複数の基部と、
前記基部に装着される複数の発光部品と、
前記発光部品上に装着される複数の集光カップと、
前記基部の内面に外形が合致し、前記基部に固定される反射板と、
前記反射板に設けられ、前記発光部品が発光する光線が透過する複数の透し孔と、
前記本体に接合され、前記発光部品を保護する透明な防塵カバーと、
を備え、
前記発光部品の照射する光線は前記基部の接線角度により垂直に照射され、照射される光線は複数の角度の光線であり、光線照射方向の角度および範囲を制御することを特徴とする照明装置。
【請求項２】
前記発光部品は、発光ダイオードとすることを特徴とする請求項１に記載の照明装置。
【考案の詳細な説明】
【技術分野】
【０００１】
本考案は照明装置に関し、特に複数の方向に光線を照射可能な照明装置に関する。
【背景技術】
【０００２】
光源とは経済発展の促進、および人類の生活に不可欠な要素である。現在では、照明技術は省エネルギーおよび環境保護へ適応するように改良されている。従来の電球あるいは蛍光灯に比べて、発光ダイオードは体積が小さく、寿命が長く、消費電力が少なく、汚染が少ないという点で多くの長所があり、照明産業において広く用いることができる。
しかし、発光ダイオードは一種の半導体素子であるため、従来の電球あるいは蛍光灯の照射角度と比べて、照射される光線の角度は極めて小さく、発光ダイオードの照明装置への用途は制限されていたという問題がある。
【考案の開示】
【考案が解決しようとする課題】
【０００３】
本考案の目的は、本体の内側に異なる接線角度で設けられた複数の基部を有し、複数の方向に光線を照射可能な照明装置を提供することにある。
【課題を解決するための手段】
【０００４】
前述の課題を解決するため、本考案による照明装置は、本体と、前記本体の内側に設けられ、異なる接線角度を有する複数の基部と、前記基部に装着される複数の発光部品と、前記発光部品上に装着される複数の集光カップと、前記基部の内面に外形が合致し、前記基部に固定される反射板と、前記反射板に設けられ、前記発光部品が発光する光線が透過する複数の透し孔と、前記本体に接合され、前記発光部品を保護する透明な防塵カバーと、を備える。
発光部品は個別に基部に取り付けられる。各発光部品は、光線照射方向の角度および範囲を制御するために、その基部に垂直に光線を発する。
【考案を実施するための最良の形態】
【０００５】
以下、本考案の実施形態を図面に基づいて説明する。
図１および図２に示すように、本考案は、複数の方向に光線を照射可能な照明装置に関する。本体１０は、本体の内側に異なる接線角度で設けられた複数の基部１１を有する。複数の発光ダイオード２０もしくは他の発光部品は個別に基部１１に取り付けられ、各発光ダイオード２０もしくは他の発光部品はその基部に垂直に光線を照射し、光線照射方向の角度および範囲を制御することができる。ここで、本体１０の内側に設けられた基部の数および接線角度は、好ましい照射角度もしくは照明器具の形態に従って決定される。
【０００６】
複数の発光ダイオード２０は本体内側の基部１１にねじによってそれぞれ取り付けられ、各発光ダイオード２０は照射する光を集めるために集光カップ２２に取り付けられる。反射板３０は本体１０の内側に取り付けられ、反射板３０の外形は本体１０の内側に合致する。反射板３０は複数の反射面３１、およびそれぞれ発光ダイオード２０に向き合う透し孔３２を有する。集光カップを取り付けるため、透し孔３２の直径は集光カップ２２の直径よりも小さい。また、透明な防塵カバー４０は、本体１０に取り付けられ各発光ダイオード２０を保護する。
【０００７】
（他の実施形態）
図３から図６に示すように、照明器具の形態に関わらず、本体１０の内側は、異なる接線角度の複数の基部１１により形成される。
【０００８】
図７に示すように、個別に基部１１に取り付けられた発光ダイオード２０は、基部１１の異なる接線角度によって異なる角度の光線を発することができる。したがって、図８および図９に示すように、基部１１の接線角度によって光線照射方向の角度および範囲が制御される。
【０００９】
本考案の実施形態は、さらに変化に富んだものでもよく、本考案の実用新案登録請求の範囲内におけるあらゆる変化および修飾については、みな本考案に係る実用新案登録請求の範囲に含まれるものとする。
【図面の簡単な説明】
【００１０】
【図１】本考案の一実施形態による照明装置を示す断面図。
【図２】本考案の一実施形態による照明装置を示す分解斜視図。
【図３】本考案の他の実施形態による照明装置を示す分解斜視図。
【図４】本考案の他の実施形態による照明装置を示す分解斜視図。
【図５】本考案の他の実施形態による照明装置を示す分解斜視図。
【図６】本考案の他の実施形態による照明装置を示す分解斜視図。
【図７】図６の照明装置を示す斜視図。
【図８】本考案の他の実施形態による照明装置の照明効果を示す模式図。
【図９】本考案の他の実施形態による照明装置の照明効果を示す模式図。
【符号の説明】
【００１１】
１０：本体、１１：基部、２０：発光部品（発光ダイオード）、２1：光線、２２：集光カップ、３０：反射板、３１：反射面、３２：透し孔、４０：防塵カバー
【図１】
0003146045.tif 000003
【図２】
0003146045.tif 000004
【図３】
0003146045.tif 000005
【図４】
0003146045.tif 000006
【図５】
0003146045.tif 000007
【図６】
0003146045.tif 000008
【図７】
0003146045.tif 000009
【図８】
0003146045.tif 000010
【図９】
0003146045.tif 000011
(57)【要約】      （修正有）【課題】箸箱と箸置を一体化することで、収納および携帯に便利な箸置付き箸箱を提供する。【解決手段】箸箱の蓋２に箸置３を取り付け、該箸箱の内部には、箸５とフォーク類６を収納できるようにする。また該箸箱及び箸置は、意匠あるいは、持ち主を特定する時の便利性を考慮し、各種デザインを施しても良い。【選択図】図３
0003146093.tif 000002
【実用新案登録請求の範囲】
【請求項１】
本考案は箸箱（１）の蓋に箸置（３）を取り付けた箸箱である。箸（５）の使用にあっては、箸置（３）に載せて転がらないように、する事が出来る、
又箸箱（１）の内部に箸（５）とフオ−ク類（６）を収納できる箸箱（１）で外出時には「マイ・ハシ」として、携帯用に利用できる便利な箸箱（１）である。
【考案の詳細な説明】
【技術分野】
【０００１】本考案は、食事に使用する箸箱（１）と、箸置（３）を組み合わせた箸箱である。
【背景技術】
【０００２】従来は、箸箱（１）と箸置（３）は、別々で使用していたので、不便でした。
【考案の開示】
【考案が解決しようとする課題】
【０００３】本考案は箸箱（１）の蓋（２）に箸置（３）を取り付け、又箸箱の内部に箸（５）とフオ−ク類（６）を収納することができる、便利な箸箱（１）である。
【課題を解決するための手段】
【０００４】箸箱（１）と箸置（３）を一体化したことで、多種多用で家庭内、外出時に「マイ・ハシ」としても、利用できる。
【考案の効果】
【０００５】箸（５）は箸箱（１）に入れて保管するのが衛生的で、箸（５）の使用にあっては箸置（３）に載せて転がらないように、する事ができる。
【考案を実施するための最良の形態】
【０００６】箸箱（１）は、現代風の色彩感覚で、箸置（３）のデザインは、小児用、大人用、等  趣向的な動物、植物、野菜、果物、暦の十二支、各地の有名観光地の品物等を任意の色彩、模様を施し、多種多用に利用できる箸箱（１）です。
【実施例】
【０００７】箸箱（１）と箸置（３）は、木製、合成樹脂、金属、等て゜色々な形態に仕上げる
【産業上の利用可能性】
【０００８】商品名  「箸置付き・箸箱」に現代感覚の柔和さを加え、家族、各人の好みの箸箱が、自分の箸箱とすぐ分かり、小児等は進んで食卓につき食事を楽しくする雰囲気をかもし出す、各行事の賞品、贈り物、等に最適です。
【図面の簡単な説明】
【０００９】
【図１】  本体の平面図
【図２】  本体の側面図
【図３】  本体の断面図
【図４】  本体の詳細部の図面
【符号の説明】
【００１０】      １  箸箱の本体
２  箸箱の蓋
３  箸置き
４  仕切り板
５  箸
６  フオ−ク、スプ−ン  類
【図１】
0003146093.tif 000003
【図２】
0003146093.tif 000004
【図３】
0003146093.tif 000005
【図４】
0003146093.tif 000006
【手続補正書】
【提出日】平成20年8月4日(2008.8.4)
【手続補正１】
【補正対象書類名】実用新案登録請求の範囲
【補正対象項目名】全文
【補正方法】変更
【補正の内容】
【実用新案登録請求の範囲】
【請求項１】
箸箱の蓋に箸置きを取り付けた箸箱。
(57)【要約】      （修正有）【課題】ケーブル引き出し用保護ブッシングにケーブル支持用結束材取り付け部位を持たせ、通線したケーブルを固定する保護ブッシングを提供する。【解決手段】保護ブッシングの雄ねじ側のねじを有しない通線部分にケーブル結束用の支持部位を１つから複数個設け通線後の支持を可能とさせる。又、盤内の整線状態により盤内で支持が不可能な場合は雌ねじ側のブッシング部に上記同様の支持部を設ける。又、既に保護ブッシングがあり、ケーブルが通線してある場合の支持方法は雌ねじのブッシングを分割とし、半円状のブッシング２個の両側にツメとツメを引っ掛ける部位を作り結合し分割していないブッシングと同様に雄ねじを固定すると雌ねじ付きのブッシングとなる。【選択図】図１
0003146096.tif 000002
【実用新案登録請求の範囲】
【請求項１】
ケーブル引き出し用保護ブッシングは雄ねじを有する通線部と雌ねじを有するブッシングで構成されており、雄ねじ側のねじを有しない部分にケーブル支持用の結束材取り付け部位を１から複数箇所設ける。又、雌ねじ側のブッシングはねじの終端部分を一部閉鎖しケーブル支持用の結束材取り付け部位を１から複数箇所設ける。ケーブル通線後用の上記保護ブッシングとしては雌ねじ側のブッシングを分割式としケーブル通線後にはめ込んでフックで引っ掛けブッシング機能をもたせケーブルを結束材で支持する事が可能なケーブル支持材付きケーブル引き出し用保護ブッシング。
【考案の詳細な説明】
【技術分野】
【０００１】ケーブルを配電盤等から引き出す場合に，盤の箱体の金属部分や合成樹脂材部分を貫通する時のケーブル保護の為、雄ねじを有する側を盤内部より取り付け盤外部より雌ねじを有するブッシングで固定して使用する。ケーブル引き出し用保護ブッシングにケーブル支持用結束材取り付け部位を持たせ、通線したケーブルを固定する保護ブッシングである。
【背景技術】
【０００２】従来は保護ブッシングにケーブルを通線した際、ケーブルを支持固定することが出来なかった。
【考案の開示】
【考案が解決しようとする課題】
【０００３】従来は通線後のケーブルを固定する事が出来なかった為、配電盤や制御盤等の下部からケーブルを引き出す際、ケーブル自重やつまづき・引っ掛けによるケーブルの引っ張り荷重で端子台や配線遮断器の端子部分に力が加わり、端子ビスの破損や損傷による加熱等の事故が発生した。
【課題を解決するための手段】
【０００４】従来は盤内にビニールテープ等でこぶ状のケーブル径を増大させる部分を作り、下方へのひっぱり荷重を防いだり、整線のルートを変えてケーブルを結束していた。本考案は保護ブッシングの雄ねじ側のねじを有しない通線部分にケーブル結束用の支持部位を１つから複数箇所設け通線後のケーブルの支持を可能とさせる。又、盤内の整線状態により盤内で支持が不可能な場合は雌ねじ側のブッシング部に上記同様の支持部を設ける。又、既に保護ブッシングがあり、ケーブルが通線してある場合の支持方法は雌ねじのブッシングを分割とし、半円状のブッシング２個の両側にツメとツメを引っ掛ける部位を作り結合し分割していないブッシングと同様に雄ねじを固定すると雌ねじ付きのブッシングとなる。
【考案の効果】
【０００５】一般に電気工事で使用されているケーブルは多種多様ではあるが、０．５キログラム／ｍから６．０キログラム／ｍの重量がありその重量の何％かは配電盤内の共に結束された他の電線や端子ビス等に加わる。従来は支持材がなかったので端子ビスの破損や損傷による事故が発生していた。本考案は保護ブッシングの上部又は下部でケーブルを支持することが出来るので上記の損傷や事故を防げる。
【実施例】
【０００６】本考案の保護ブッシングは〔図１〕の▲１▼の雄ねじを有する側の雄ねじを有しない通線部分に▲３▼のケーブル支持用の部位を設ける。１つから複数箇所の部位を設け結束材を▲４▼の開口部分に通しケーブルを支持固定する。又、雌ねじ側で支持する時は▲２▼のブッシング終端部に上記の支持部位を１つから複数箇所設ける。既に保護ブッシングがある場合は雌ねじ側だけ本考案のブッシングと取り替えも可能でケーブルが通線してあれば雌ねじを有する側のブッシングを分割とし、ケーブルを通し半円状の２つに分かれたブッシング後の両端にツメとそのツメを引っ掛けるツメ受けで引っ掛け結合し必要に応じて接着剤を使い溶着させケーブルを結束材で支持固定する。ケーブル支持部位の材質は上記保護ブッシングと同一材質で上記保護ブッシングの直径が大きい場合は、引っ張り荷重を想定し合成樹脂被覆付鋼芯材を使用する。
【図面の簡単な説明】
【０００７】
【図１】  構成図
【符号の説明】
【０００８】▲１▼  雄ねじを有する側
▲２▼  雌ねじを有する側
▲３▼  ケーブル支持用部位
▲４▼  結束材を入れる開口
▲５▼  分割式の雌ねじを有する側
▲６▼  ツメ
▲７▼  ツメ受け
▲８▼  ケーブル支持の方法図
▲９▼  ケーブル
▲１０▼  ケーブル結束材
【図１】
0003146096.tif 000003
【手続補正書】
【提出日】平成20年7月25日(2008.7.25)
【手続補正１】
【補正対象書類名】実用新案登録請求の範囲
【補正対象項目名】全文
【補正方法】変更
【補正の内容】
【実用新案登録請求の範囲】
【請求項１】
ケーブル引き出し用保護ブッシングは制御盤や分岐ボックス等から電線を引き出す為のブッシングであり雄ねじを有する通線部と雌ねじを有するブッシングで構成されており、雄ねじ側のねじを有しない部分にケーブル支持用の結束材取り付け部位を１から複数箇所設け、雌ねじ側のブッシングはねじの終端部分を一部閉鎖しケーブル支持用の結束材取り付け部位を１から複数箇所設けてケーブルを支持し、ケーブル通線後用の上記保護ブッシングとしては雌ねじ側のブッシングを分割式としケーブル通線後にはめ込んでフックで引っ掛け、ブッシング機能をもたせケーブルを結束材で支持出来ることを特徴とするケーブル支持材付きケーブル引き出し用保護ブッシング。